(57)【要約】【課題】本発明は水晶製植木鉢を開示した。【解決手段】本発明は水晶製植木鉢を公示し、本体と前記本体の中に設置された植木鉢チャンバとを含み、前記本体は透明な水晶によって作られており、前記植木鉢チャンバの中には掘り返し機構が設けられ、前記掘り返し機構は掘り返し軸と、掘り返し突出ブロックと、伝動軸と、環状スライド溝と、環状スライド板と、動力チャンバとを含み、本発明はシンプルな構成と簡単な操作方法を有し、伝統的な植木鉢が植木の根系を観察できない欠陥を補い、植木を育てることの楽しさが倍増し、また、本発明は自動的に水かけを行い、水をかける前に水の濾過も行うため、水中の残留塩素などの有害物質を取り除き、植木を害することなく、植木鉢の実用性を大きく上げる。【選択図】図１
2020174657.tif 000002
【特許請求の範囲】
【請求項１】
正面視で、本体と前記本体の中に設置された植木鉢チャンバとを含み、前記本体は透明な水晶によって作られており、前記植木鉢チャンバは上方に開口しており、前記植木鉢チャンバの中には掘り返し機構が設けられ、前記掘り返し機構は掘り返し軸と、掘り返し突出ブロックと、伝動軸と、環状スライド溝と、環状スライド板と、動力チャンバとを含み、前記動力チャンバは前記植木鉢チャンバの底壁の中に設置され、前記動力チャンバと前記植木鉢チャンバとは前記環状スライド溝によって連通されており、前記環状スライド溝の中には前記環状スライド板がスライド可能に設置され、前記環状スライド板の中には伝動軸が左右対称に、且つ回転可能に設置され、前記伝動軸の上端は前記植木鉢の中に位置しており、前記伝動軸の下端は前記動力チャンバの中に位置しており、前記伝動軸の上端には前記掘り返し軸が固定的に連結され、前記掘り返し軸の外円面には複数の前記掘り返し突出ブロックが固定的に設置され、前記動力チャンバの頂壁にはモータが固定的に設置され、前記モータの下端には動力軸が伝動可能に連結され、前記動力軸の下端には回転盤が固定的に設置され、前記回転盤の上端面には回転軸が回転可能に設置され、前記伝動軸の下端には歯車が固定的に設置され、前記回転軸の上端と前記歯車の下端面とが固定的に連結されており、前記動力チャンバの中には固定棒によって前記動力チャンバの内壁と固定的に連結された環状ラックが設置され、前記環状ラックと前記歯車とが噛み合っており、前記モータを起動する時に、前記回転盤は回転し、前記掘り返し軸を前記植木鉢チャンバの中で回転させ、前記歯車と前記環状ラックとの噛み合いにより、前記掘り返し軸を前記植木鉢チャンバの中で回転させると同時に自転させ、それにより土の掘り返しを行われ、前記本体の中には水かけ機構が設置され、前記水かけ機構は貯水チャンバと、活性炭と、玉弁とを含み、前記貯水チャンバは前記本体の内壁の中に設置され、前記貯水チャンバの頂壁には上下に貫通した入水孔が設置され、前記入水孔を通じて水道水を前記貯水チャンバの中に加えられ、前記活性炭は前記貯水チャンバの中に設置され、水道水が前記貯水チャンバの中に入った後、活性炭によって濾過され、水の中の残留塩素など植木を害する物質を取り除け、前記貯水チャンバと前記植木鉢チャンバとが排水チャンバによって連通され、前記玉弁は前記排水チャンバの中に設置され、水をかける時に、前記玉弁は作動し、前記貯水チャンバの中の水を前記植木鉢チャンバの中に入らせ、前記本体の中には測定機構が設置され、前記測定機構は感応チャンバと、細管とを含み、前記感応チャンバは前記細管によって前記排水チャンバと連通され、前記感応チャンバの中には吸水ブロックがスライド可能に設置され、水をかける時に、一部の水は細管を通じて前記感応チャンバの中に入り、前記吸水ブロックは吸水を行い、前記感応チャンバの底壁にはセンサが固定的に設置され、前記吸水ブロックと前記センサとが当接した時に、水かけは終了とすることを特徴とする水晶製植木鉢。
【請求項２】
前記水かけ機構は前記排水チャンバの底壁の中に設置された制御モータを含み、前記制御モータの上端には制御軸が伝動可能に連結され、前記制御軸の上端と前記玉弁とが固定的に連結されており、前記制御モータはタイマー機能を有し、前記制御モータが定時的に起動することで前記玉弁を定時的に作動させ、前記制御モータと前記センサとが通電可能に連結されていることを特徴とする請求項１に記載の水晶製植木鉢。
【請求項３】
前記貯水チャンバの頂壁の中には上下に貫通した複数の排気孔が設置され、前記貯水チャンバの中の水が日光に浴びた時に、濾過された残留塩素が日光によって揮散し、前記排気孔を通じて排出されることを特徴とする請求項１に記載の水晶製植木鉢。
【請求項４】
前記測定機構の中には前記吸水ブロックと前記感応チャンバの底壁との間に設置されたばねが設置され、前記感応チャンバの内壁の中には外部と連通した連通孔が設置され、前記吸水ブロックは土の中に水分量をシミュレートし、温度が低い時に、前記吸水ブロックの中の水の蒸発量は少なくなり、それにより、水をかける時に、前記吸水ブロックはより短時間に前記センサと当接でき、前記制御モータを駆動し、前記玉弁を停止させることで、水かけを停止することを特徴とする請求項１に記載の水晶製植木鉢。
【請求項５】
前記本体の外表面には固定板が固定的に設置され、前記固定板にはヒンジ連結軸が回転可能に設置され、前記ヒンジ連結軸には灯台が固定的に設置され、前記灯台の中には蛍光灯が設置され、曇り日が長時間続く時に、前記灯台を百八十度に回転させ、前記蛍光灯をつけ、植木への照射を行うことを特徴とする請求項１に記載の水晶製植木鉢。
【発明の詳細な説明】
【技術分野】
【０００１】
本発明は水晶製品分野を取り上げ、具体的には水晶製植木鉢である。
【背景技術】
【０００２】
既存する植木鉢は基本的にセラミックスやプラスチックによって作られるが、これらの素材は透明ではないため、植木の根系部分までは観察できなく、植木を育てることの楽しさが半減してしまう。また、植木を育てるには、土を掘り返しなければならなく、一々人力ですると時間や労力がかかる。さらに、都会で植木を育てる時に、基本的には水道水をかけるが、水道水の中には植木の根系にダメージを与える残留塩素がある。以上の問題を解決するため、本装置を取り上げる。
【先行技術文献】
【特許文献】
【０００３】
【特許文献１】中国特許出願公開第１０７６８３７２２号明細書
【発明の概要】
【発明が解決しようとする課題】
【０００４】
本発明は水晶製植木鉢を提供し、既存技術にある上記の欠点を解消することを目的とする。
【課題を解決するための手段】
【０００５】
本発明の水晶製植木鉢は、本体と前記本体の中に設置された植木鉢チャンバとを含み、前記本体は透明な水晶によって作られており、前記植木鉢チャンバは上方に開口しており、前記植木鉢チャンバの中には掘り返し機構が設けられ、前記掘り返し機構は掘り返し軸と、掘り返し突出ブロックと、伝動軸と、環状スライド溝と、環状スライド板と、動力チャンバとを含み、前記動力チャンバは前記植木鉢チャンバの底壁の中に設置され、前記動力チャンバと前記植木鉢チャンバとは前記環状スライド溝によって連通されており、前記環状スライド溝の中には前記環状スライド板がスライド可能に設置され、前記環状スライド板の中には伝動軸が左右対称に、且つ回転可能に設置され、前記伝動軸の上端は前記植木鉢の中に位置しており、前記伝動軸の下端は前記動力チャンバの中に位置しており、前記伝動軸の上端には前記掘り返し軸が固定的に連結され、前記掘り返し軸の外円面には複数の前記掘り返し突出ブロックが固定的に設置され、前記動力チャンバの頂壁にはモータが固定的に設置され、前記モータの下端には動力軸が伝動可能に連結され、前記動力軸の下端には回転盤が固定的に設置され、前記回転盤の上端面には回転軸が回転可能に設置され、前記伝動軸の下端には歯車が固定的に設置され、前記回転軸の上端と前記歯車の下端面とが固定的に連結されており、前記動力チャンバの中には固定棒によって前記動力チャンバの内壁と固定的に連結された環状ラックが設置され、前記環状ラックと前記歯車とが噛み合っており、前記モータを起動する時に、前記回転盤は回転し、前記掘り返し軸を前記植木鉢チャンバの中で回転させ、前記歯車と前記環状ラックとの噛み合いにより、前記掘り返し軸を前記植木鉢チャンバの中で回転させると同時に自転させ、それにより土の掘り返しを行われ、前記本体の中には水かけ機構が設置され、前記水かけ機構は貯水チャンバと、活性炭と、玉弁とを含み、前記貯水チャンバは前記本体の内壁の中に設置され、前記貯水チャンバの頂壁には上下に貫通した入水孔が設置され、前記入水孔を通じて水道水を前記貯水チャンバの中に加えられ、前記活性炭は前記貯水チャンバの中に設置され、水道水が前記貯水チャンバの中に入った後、活性炭によって濾過され、水の中の残留塩素など植木を害する物質を取り除け、前記貯水チャンバと前記植木鉢チャンバとが排水チャンバによって連通され、前記玉弁は前記排水チャンバの中に設置され、水をかける時に、前記玉弁は作動し、前記貯水チャンバの中の水を前記植木鉢チャンバの中に入らせ、前記本体の中には測定機構が設置され、前記測定機構は感応チャンバと、細管とを含み、前記感応チャンバは前記細管によって前記排水チャンバと連通され、前記感応チャンバの中には吸水ブロックがスライド可能に設置され、水をかける時に、一部の水は細管を通じて前記感応チャンバの中に入り、前記吸水ブロックは吸水を行い、前記感応チャンバの底壁にはセンサが固定的に設置され、前記吸水ブロックと前記センサとが当接した時に、水かけは終了とする。
【０００６】
好ましくは、前記水かけ機構は前記排水チャンバの底壁の中に設置された制御モータを含み、前記制御モータの上端には制御軸が伝動可能に連結され、前記制御軸の上端と前記玉弁とが固定的に連結されており、前記制御モータはタイマー機能を有し、前記制御モータが定時的に起動することで前記玉弁を定時的に作動させ、前記制御モータと前記センサとが通電可能に連結されている。
【０００７】
好ましくは、前記貯水チャンバの頂壁の中には上下に貫通した複数の排気孔が設置され、前記貯水チャンバの中の水が日光に浴びた時に、濾過された残留塩素が日光によって揮散し、前記排気孔を通じて排出される。
【０００８】
好ましくは、前記測定機構の中には前記吸水ブロックと前記感応チャンバの底壁との間に設置されたばねが設置され、前記感応チャンバの内壁の中には外部と連通した連通孔が設置され、前記吸水ブロックは土の中に水分量をシミュレートし、温度が低い時に、前記吸水ブロックの中の水の蒸発量は少なくなり、それにより、水をかける時に、前記吸水ブロックはより短時間に前記センサと当接でき、前記制御モータを駆動し、前記玉弁を停止させることで、水かけを停止する。
【０００９】
好ましくは、前記本体の外表面には固定板が固定的に設置され、前記固定板にはヒンジ連結軸が回転可能に設置され、前記ヒンジ連結軸には灯台が固定的に設置され、前記灯台の中には蛍光灯が設置され、曇り日が長時間続く時に、前記灯台を百八十度に回転させ、前記蛍光灯をつけ、植木への照射を行う。
【発明の効果】
【００１０】
要約すると、本発明はシンプルな構成と簡単な操作方法を有し、伝統的な植木鉢が植木の根系を観察できない欠陥を補い、植木を育てることの楽しさが倍増し、また、本発明は自動的に水かけを行い、水をかける前に水の濾過も行うため、水中の残留塩素などの有害物質を取り除き、植木を害することなく、植木鉢の実用性を大きく上げる。
【図面の簡単な説明】
【００１１】
下記に図１〜５を交え、本発明について詳しく説明し、また、説明をわかりやすくさせるため、下記の方向を以下のように規定する：図１は本発明装置の正面図であり、以下に述べる上下左右前後の方向と図１の自身投影関係の上下左右前後の方向とが一致である。
【００１２】
【図１】図１は本発明である水晶製植木鉢の全体構成略図
【図２】図２は図１におけるＡ―Ａの構成略図
【図３】図３は図１におけるＢ―Ｂの構成略図
【図４】図４は図１におけるＣの構成略図
【図５】図５は図１におけるＤの構成略図
【発明を実施するための形態】
【００１３】
下記に附図説明と実施例を交え、本発明について更なる説明を行い、本発明の内容は下記の実施例をを含むが、これに限定されるものではない。
【００１４】
図１〜５が示したように、本発明の水晶製植木鉢は、本体１０と前記本体１０の中に設置された植木鉢チャンバ３３とを含み、前記本体１０は透明な水晶によって作られており、前記植木鉢チャンバ３３は上方に開口しており、前記植木鉢チャンバ３３の中には掘り返し機構３００が設けられ、前記掘り返し機構３００は掘り返し軸１６と、掘り返し突出ブロック１７と、伝動軸３７と、環状スライド溝３５と、環状スライド板３６と、動力チャンバ２０とを含み、前記動力チャンバ２０は前記植木鉢チャンバ３３の底壁の中に設置され、前記動力チャンバ２０と前記植木鉢チャンバ３３とは前記環状スライド溝３５によって連通されており、前記環状スライド溝３５の中には前記環状スライド板３６がスライド可能に設置され、前記環状スライド板３６の中には伝動軸３７が左右対称に、且つ回転可能に設置され、前記伝動軸３７の上端は前記植木鉢３３の中に位置しており、前記伝動軸３７の下端は前記動力チャンバ２０の中に位置しており、前記伝動軸３７の上端には前記掘り返し軸１６が固定的に連結され、前記掘り返し軸の外円面には複数の前記掘り返し突出ブロック１７が固定的に設置され、前記動力チャンバ２０の頂壁にはモータ２１が固定的に設置され、前記モータ２１の下端には動力軸２２が伝動可能に連結され、前記動力軸２２の下端には回転盤２９が固定的に設置され、前記回転盤２９の上端面には回転軸２８が回転可能に設置され、前記伝動軸３７の下端には歯車３０が固定的に設置され、前記回転軸２８の上端と前記歯車３０の下端面とが固定的に連結されており、前記動力チャンバ２０の中には固定棒２３によって前記動力チャンバ２０の内壁と固定的に連結された環状ラック１９が設置され、前記環状ラック１９と前記歯車３０とが噛み合っており、前記モータ２１を起動する時に、前記回転盤２９は回転し、前記掘り返し軸１６を前記植木鉢チャンバ３３の中で回転させ、前記歯車３０と前記環状ラック１９との噛み合いにより、前記掘り返し軸１６を前記植木鉢チャンバ３３の中で回転させると同時に自転させ、それにより土の掘り返しを行われ、前記本体１０の中には水かけ機構１００が設置され、前記水かけ機構１００は貯水チャンバ１１と、活性炭１２と、玉弁２５とを含み、前記貯水チャンバ１１は前記本体１０の内壁の中に設置され、前記貯水チャンバ１１の頂壁には上下に貫通した入水孔３４が設置され、前記入水孔３４を通じて水道水を前記貯水チャンバ１１の中に加えられ、前記活性炭１２は前記貯水チャンバ１１の中に設置され、水道水が前記貯水チャンバ１１の中に入った後、活性炭１２によって濾過され、水の中の残留塩素など植木を害する物質を取り除け、前記貯水チャンバ１１と前記植木鉢チャンバ３３とが排水チャンバ２４によって連通され、前記玉弁２５は前記排水チャンバ２４の中に設置され、水をかける時に、前記玉弁２５は作動し、前記貯水チャンバ１１の中の水を前記植木鉢チャンバ３３の中に入らせ、前記本体１０の中には測定機構２００が設置され、前記測定機構２００は感応チャンバ３９と、細管４３とを含み、前記感応チャンバ３９は前記細管４３によって前記排水チャンバ２４と連通され、前記感応チャンバ３９の中には吸水ブロック４２がスライド可能に設置され、水をかける時に、一部の水は細管４３を通じて前記感応チャンバ３９の中に入り、前記吸水ブロック４２は吸水を行い、前記感応チャンバ３９の底壁にはセンサ４０が固定的に設置され、前記吸水ブロック４２と前記センサ４０とが当接した時に、水かけは終了とする。
【００１５】
好ましくは、前記水かけ機構１００は前記排水チャンバ２４の底壁の中に設置された制御モータ２７を含み、前記制御モータ２７の上端には制御軸２６が伝動可能に連結され、前記制御軸２６の上端と前記玉弁２５とが固定的に連結されており、前記制御モータ２７はタイマー機能を有し、前記制御モータ２７が定時的に起動することで前記玉弁２５を定時的に作動させ、前記制御モータ２７と前記センサ４０とが通電可能に連結されている。
【００１６】
好ましくは、前記貯水チャンバ１１の頂壁の中には上下に貫通した複数の排気孔１３が設置され、前記貯水チャンバ１１の中の水が日光に浴びた時に、濾過された残留塩素が日光によって揮散し、前記排気孔１３を通じて排出される。  
【００１７】
好ましくは、前記測定機構２００の中には前記吸水ブロック４２と前記感応チャンバ３９の底壁との間に設置されたばね４１が設置され、前記感応チャンバ３９の内壁の中には外部と連通した連通孔３８が設置され、前記吸水ブロックは土の中に水分量をシミュレートし、温度が低い時に、前記吸水ブロック４２の中の水の蒸発量は少なくなり、それにより、水をかける時に、前記吸水ブロック４２はより短時間に前記センサ４０と当接でき、前記制御モータ２７を駆動し、前記玉弁２５を停止させることで、水かけを停止する。
【００１８】
好ましくは、前記本体１０の外表面には固定板１４が固定的に設置され、前記固定板１４にはヒンジ連結軸１５が回転可能に設置され、前記ヒンジ連結軸１５には灯台３１が固定的に設置され、前記灯台３１の中には蛍光灯３２が設置され、曇り日が長時間続く時に、前記灯台３１を百八十度に回転させ、前記蛍光灯３２をつけ、植木への照射を行う。
【００１９】
前記水晶製植木鉢の実現方法は、以下の手順を踏む：
【００２０】
植木を植木鉢チャンバ３３の中に植え付け、土を掘り返す時に、モータ２１を起動し、動力軸２２によって回転盤２９を回転させ、回転盤２９は回転軸２８と、歯車３０と、伝動軸３７とによって、掘り返し軸１６に動力軸２２を中心に回転させ、歯車３０と環状ラック１９とが噛み合い、掘り返し軸１６の自転を連動させ、そして掘り返し突出ブロック１７によって土の掘り返しを行う。
【００２１】
入水孔３４を通じて水道水を貯水チャンバ１１の中に注ぎ、活性炭１２により、水の中の残留塩素などの不純物は濾過され、制御モータ２７を起動することで玉弁２５を作動させ、貯水チャンバ１１の中の水は排水チャンバ２４を通過して植木鉢チャンバ３３の中に入り、一部の水は細管４３を通過して感応チャンバ３９の中に入り、吸水ブロック４２に吸収され、吸水ブロック４２が重量を増やし、下へ滑り、吸水ブロック４２とセンサ４０とが当接した時に、制御モータ２７は玉弁２５の作動を停止させ、水かけは停止する。
【００２２】
要約すると、本発明はシンプルな構成と簡単な操作方法を有し、伝統的な植木鉢が植木の根系を観察できない欠陥を補い、植木を育てることの楽しさが倍増し、また、本発明は自動的に水かけを行い、水をかける前に水の濾過も行うため、水中の残留塩素などの有害物質を取り除き、植木を害することなく、植木鉢の実用性を大きく上げる。
【００２３】
以上に述べたのはただ本発明の具体的な実施方式であり、本発明の保護範囲は以上の内容に限らず、すべての創造的な労働を通じず思いつきの改動と取替は本発明の保護範囲にカバーされるべき。よって、本発明の保護範囲は権利要求書が限定された保護範囲を標準とすべきである。
【図１】
2020174657.tif 000003
【図２】
2020174657.tif 000004
【図３】
2020174657.tif 000005
【図４】
2020174657.tif 000006
【図５】
2020174657.tif 000007
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
正面視で、本体と前記本体の中に設置された植木鉢チャンバとを含み、前記本体は透明な水晶によって作られており、前記植木鉢チャンバは上方に開口しており、前記植木鉢チャンバの中には掘り返し機構が設けられ、前記掘り返し機構は掘り返し軸と、掘り返し突出ブロックと、伝動軸と、環状スライド溝と、環状スライド板と、動力チャンバとを含み、前記動力チャンバは前記植木鉢チャンバの底壁の中に設置され、前記動力チャンバと前記植木鉢チャンバとは前記環状スライド溝によって連通されており、前記環状スライド溝の中には前記環状スライド板がスライド可能に設置され、前記環状スライド板の中には伝動軸が左右対称に、且つ回転可能に設置され、前記伝動軸の上端は前記植木鉢の中に位置しており、前記伝動軸の下端は前記動力チャンバの中に位置しており、前記伝動軸の上端には前記掘り返し軸が固定的に連結され、前記掘り返し軸の外円面には複数の前記掘り返し突出ブロックが固定的に設置され、前記動力チャンバの頂壁にはモータが固定的に設置され、前記モータの下端には動力軸が伝動可能に連結され、前記動力軸の下端には回転盤が固定的に設置され、前記回転盤の上端面には回転軸が回転可能に設置され、前記伝動軸の下端には歯車が固定的に設置され、前記回転軸の上端と前記歯車の下端面とが固定的に連結されており、前記動力チャンバの中には固定棒によって前記動力チャンバの内壁と固定的に連結された環状ラックが設置され、前記環状ラックと前記歯車とが噛み合っており、前記モータを起動する時に、前記回転盤は回転し、前記掘り返し軸を前記植木鉢チャンバの中で回転させ、前記歯車と前記環状ラックとの噛み合いにより、前記掘り返し軸を前記植木鉢チャンバの中で回転させると同時に自転させ、それにより土の掘り返しを行われ、前記本体の中には水かけ機構が設置され、前記水かけ機構は貯水チャンバと、活性炭と、玉弁とを含み、前記貯水チャンバは前記本体の内壁の中に設置され、前記貯水チャンバの頂壁には上下に貫通した入水孔が設置され、前記入水孔を通じて水道水を前記貯水チャンバの中に加えられ、前記活性炭は前記貯水チャンバの中に設置され、水道水が前記貯水チャンバの中に入った後、活性炭によって濾過され、水の中の残留塩素など植木を害する物質を取り除け、前記貯水チャンバと前記植木鉢チャンバとが排水チャンバによって連通され、前記玉弁は前記排水チャンバの中に設置され、水をかける時に、前記玉弁は作動し、前記貯水チャンバの中の水を前記植木鉢チャンバの中に入らせ、前記本体の中には測定機構が設置され、前記測定機構は感応チャンバと、細管とを含み、前記感応チャンバは前記細管によって前記排水チャンバと連通され、前記感応チャンバの中には吸水ブロックがスライド可能に設置され、水をかける時に、一部の水は細管を通じて前記感応チャンバの中に入り、前記吸水ブロックは吸水を行い、前記感応チャンバの底壁にはセンサが固定的に設置され、前記吸水ブロックと前記センサとが当接した時に、水かけは終了とすることを特徴とする水晶製植木鉢。
【請求項２】
前記水かけ機構は前記排水チャンバの底壁の中に設置された制御モータを含み、前記制御モータの上端には制御軸が伝動可能に連結され、前記制御軸の上端と前記玉弁とが固定的に連結されており、前記制御モータはタイマー機能を有し、前記制御モータが定時的に起動することで前記玉弁を定時的に作動させ、前記制御モータと前記センサとが通電可能に連結されていることを特徴とする請求項１に記載の水晶製植木鉢。
【請求項３】
前記貯水チャンバの頂壁の中には上下に貫通した複数の排気孔が設置され、前記貯水チャンバの中の水が日光に浴びた時に、濾過された残留塩素が日光によって揮散し、前記排気孔を通じて排出されることを特徴とする請求項１に記載の水晶製植木鉢。
【請求項４】
前記測定機構の中には前記吸水ブロックと前記感応チャンバの底壁との間に設置されたばねが設置され、前記感応チャンバの内壁の中には外部と連通した連通孔が設置され、前記吸水ブロックは土の中に水分量をシミュレートし、温度が低い時に、前記吸水ブロックの中の水の蒸発量は少なくなり、それにより、水をかける時に、前記吸水ブロックはより短時間に前記センサと当接でき、前記制御モータを駆動し、前記玉弁を停止させることで、水かけを停止することを特徴とする請求項１に記載の水晶製植木鉢。
【請求項５】
前記本体の外表面には固定板が固定的に設置され、前記固定板にはヒンジ連結軸が回転可能に設置され、前記ヒンジ連結軸には灯台が固定的に設置され、前記灯台の中には蛍光灯が設置され、曇り日に、前記灯台を百八十度に回転させ、前記蛍光灯をつけ、植木への照射を行うことを特徴とする請求項１に記載の水晶製植木鉢。
【手続補正２】
【補正対象書類名】明細書
【補正対象項目名】全文
【補正方法】変更
【補正の内容】
【発明の詳細な説明】
【技術分野】
【０００１】
本発明は水晶製品分野を取り上げ、具体的には水晶製植木鉢である。
【背景技術】
【０００２】
既存する植木鉢は基本的にセラミックスやプラスチックによって作られるが、これらの素材は透明ではないため、植木の根系部分までは観察できなく、植木を育てることの楽しさが半減してしまう。また、植木を育てるには、土を掘り返しなければならなく、一々人力ですると時間や労力がかかる。さらに、都会で植木を育てる時に、基本的には水道水をかけるが、水道水の中には植木の根系にダメージを与える残留塩素がある。以上の問題を解決するため、本装置を取り上げる。
【先行技術文献】
【特許文献】
【０００３】
【特許文献１】中国特許出願公開第１０７６８３７２２号明細書
【発明の概要】
【発明が解決しようとする課題】
【０００４】
本発明は水晶製植木鉢を提供し、既存技術にある上記の欠点を解消することを目的とする。
【課題を解決するための手段】
【０００５】
本発明の水晶製植木鉢は、本体と前記本体の中に設置された植木鉢チャンバとを含み、前記本体は透明な水晶によって作られており、前記植木鉢チャンバは上方に開口しており、前記植木鉢チャンバの中には掘り返し機構が設けられ、前記掘り返し機構は掘り返し軸と、掘り返し突出ブロックと、伝動軸と、環状スライド溝と、環状スライド板と、動力チャンバとを含み、前記動力チャンバは前記植木鉢チャンバの底壁の中に設置され、前記動力チャンバと前記植木鉢チャンバとは前記環状スライド溝によって連通されており、前記環状スライド溝の中には前記環状スライド板がスライド可能に設置され、前記環状スライド板の中には伝動軸が左右対称に、且つ回転可能に設置され、前記伝動軸の上端は前記植木鉢の中に位置しており、前記伝動軸の下端は前記動力チャンバの中に位置しており、前記伝動軸の上端には前記掘り返し軸が固定的に連結され、前記掘り返し軸の外円面には複数の前記掘り返し突出ブロックが固定的に設置され、前記動力チャンバの頂壁にはモータが固定的に設置され、前記モータの下端には動力軸が伝動可能に連結され、前記動力軸の下端には回転盤が固定的に設置され、前記回転盤の上端面には回転軸が回転可能に設置され、前記伝動軸の下端には歯車が固定的に設置され、前記回転軸の上端と前記歯車の下端面とが固定的に連結されており、前記動力チャンバの中には固定棒によって前記動力チャンバの内壁と固定的に連結された環状ラックが設置され、前記環状ラックと前記歯車とが噛み合っており、前記モータを起動する時に、前記回転盤は回転し、前記掘り返し軸を前記植木鉢チャンバの中で回転させ、前記歯車と前記環状ラックとの噛み合いにより、前記掘り返し軸を前記植木鉢チャンバの中で回転させると同時に自転させ、それにより土の掘り返しを行われ、前記本体の中には水かけ機構が設置され、前記水かけ機構は貯水チャンバと、活性炭と、玉弁とを含み、前記貯水チャンバは前記本体の内壁の中に設置され、前記貯水チャンバの頂壁には上下に貫通した入水孔が設置され、前記入水孔を通じて水道水を前記貯水チャンバの中に加えられ、前記活性炭は前記貯水チャンバの中に設置され、水道水が前記貯水チャンバの中に入った後、活性炭によって濾過され、水の中の残留塩素など植木を害する物質を取り除け、前記貯水チャンバと前記植木鉢チャンバとが排水チャンバによって連通され、前記玉弁は前記排水チャンバの中に設置され、水をかける時に、前記玉弁は作動し、前記貯水チャンバの中の水を前記植木鉢チャンバの中に入らせ、前記本体の中には測定機構が設置され、前記測定機構は感応チャンバと、細管とを含み、前記感応チャンバは前記細管によって前記排水チャンバと連通され、前記感応チャンバの中には吸水ブロックがスライド可能に設置され、水をかける時に、一部の水は細管を通じて前記感応チャンバの中に入り、前記吸水ブロックは吸水を行い、前記感応チャンバの底壁にはセンサが固定的に設置され、前記吸水ブロックと前記センサとが当接した時に、水かけは終了とする。
【０００６】
好ましくは、前記水かけ機構は前記排水チャンバの底壁の中に設置された制御モータを含み、前記制御モータの上端には制御軸が伝動可能に連結され、前記制御軸の上端と前記玉弁とが固定的に連結されており、前記制御モータはタイマー機能を有し、前記制御モータが定時的に起動することで前記玉弁を定時的に作動させ、前記制御モータと前記センサとが通電可能に連結されている。
【０００７】
好ましくは、前記貯水チャンバの頂壁の中には上下に貫通した複数の排気孔が設置され、前記貯水チャンバの中の水が日光に浴びた時に、濾過された残留塩素が日光によって揮散し、前記排気孔を通じて排出される。
【０００８】
好ましくは、前記測定機構の中には前記吸水ブロックと前記感応チャンバの底壁との間に設置されたばねが設置され、前記感応チャンバの内壁の中には外部と連通した連通孔が設置され、前記吸水ブロックは土の中に水分量をシミュレートし、温度が低い時に、前記吸水ブロックの中の水の蒸発量は少なくなり、それにより、水をかける時に、前記吸水ブロックはより短時間に前記センサと当接でき、前記制御モータを駆動し、前記玉弁を停止させることで、水かけを停止する。
【０００９】
好ましくは、前記本体の外表面には固定板が固定的に設置され、前記固定板にはヒンジ連結軸が回転可能に設置され、前記ヒンジ連結軸には灯台が固定的に設置され、前記灯台の中には蛍光灯が設置され、曇り日に、前記灯台を百八十度に回転させ、前記蛍光灯をつけ、植木への照射を行う。
【発明の効果】
【００１０】
要約すると、本発明はシンプルな構成と簡単な操作方法を有し、伝統的な植木鉢が植木の根系を観察できない欠陥を補い、植木を育てることの楽しさが倍増し、また、本発明は自動的に水かけを行い、水をかける前に水の濾過も行うため、水中の残留塩素などの有害物質を取り除き、植木を害することなく、植木鉢の実用性を大きく上げる。
【図面の簡単な説明】
【００１１】
下記に図１〜５を交え、本発明について詳しく説明し、また、説明をわかりやすくさせるため、下記の方向を以下のように規定する：図１は本発明装置の正面図であり、以下に述べる上下左右前後の方向と図１の自身投影関係の上下左右前後の方向とが一致である。
【００１２】
【図１】図１は本発明である水晶製植木鉢の全体構成略図
【図２】図２は図１におけるＡ―Ａの構成略図
【図３】図３は図１におけるＢ―Ｂの構成略図
【図４】図４は図１におけるＣの構成略図
【図５】図５は図１におけるＤの構成略図
【発明を実施するための形態】
【００１３】
下記に附図説明と実施例を交え、本発明について更なる説明を行い、本発明の内容は下記の実施例をを含むが、これに限定されるものではない。
【００１４】
図１〜５が示したように、本発明の水晶製植木鉢は、本体１０と前記本体１０の中に設置された植木鉢チャンバ３３とを含み、前記本体１０は透明な水晶によって作られており、前記植木鉢チャンバ３３は上方に開口しており、前記植木鉢チャンバ３３の中には掘り返し機構３００が設けられ、前記掘り返し機構３００は掘り返し軸１６と、掘り返し突出ブロック１７と、伝動軸３７と、環状スライド溝３５と、環状スライド板３６と、動力チャンバ２０とを含み、前記動力チャンバ２０は前記植木鉢チャンバ３３の底壁の中に設置され、前記動力チャンバ２０と前記植木鉢チャンバ３３とは前記環状スライド溝３５によって連通されており、前記環状スライド溝３５の中には前記環状スライド板３６がスライド可能に設置され、前記環状スライド板３６の中には伝動軸３７が左右対称に、且つ回転可能に設置され、前記伝動軸３７の上端は前記植木鉢３３の中に位置しており、前記伝動軸３７の下端は前記動力チャンバ２０の中に位置しており、前記伝動軸３７の上端には前記掘り返し軸１６が固定的に連結され、前記掘り返し軸の外円面には複数の前記掘り返し突出ブロック１７が固定的に設置され、前記動力チャンバ２０の頂壁にはモータ２１が固定的に設置され、前記モータ２１の下端には動力軸２２が伝動可能に連結され、前記動力軸２２の下端には回転盤２９が固定的に設置され、前記回転盤２９の上端面には回転軸２８が回転可能に設置され、前記伝動軸３７の下端には歯車３０が固定的に設置され、前記回転軸２８の上端と前記歯車３０の下端面とが固定的に連結されており、前記動力チャンバ２０の中には固定棒２３によって前記動力チャンバ２０の内壁と固定的に連結された環状ラック１９が設置され、前記環状ラック１９と前記歯車３０とが噛み合っており、前記モータ２１を起動する時に、前記回転盤２９は回転し、前記掘り返し軸１６を前記植木鉢チャンバ３３の中で回転させ、前記歯車３０と前記環状ラック１９との噛み合いにより、前記掘り返し軸１６を前記植木鉢チャンバ３３の中で回転させると同時に自転させ、それにより土の掘り返しを行われ、前記本体１０の中には水かけ機構１００が設置され、前記水かけ機構１００は貯水チャンバ１１と、活性炭１２と、玉弁２５とを含み、前記貯水チャンバ１１は前記本体１０の内壁の中に設置され、前記貯水チャンバ１１の頂壁には上下に貫通した入水孔３４が設置され、前記入水孔３４を通じて水道水を前記貯水チャンバ１１の中に加えられ、前記活性炭１２は前記貯水チャンバ１１の中に設置され、水道水が前記貯水チャンバ１１の中に入った後、活性炭１２によって濾過され、水の中の残留塩素など植木を害する物質を取り除け、前記貯水チャンバ１１と前記植木鉢チャンバ３３とが排水チャンバ２４によって連通され、前記玉弁２５は前記排水チャンバ２４の中に設置され、水をかける時に、前記玉弁２５は作動し、前記貯水チャンバ１１の中の水を前記植木鉢チャンバ３３の中に入らせ、前記本体１０の中には測定機構２００が設置され、前記測定機構２００は感応チャンバ３９と、細管４３とを含み、前記感応チャンバ３９は前記細管４３によって前記排水チャンバ２４と連通され、前記感応チャンバ３９の中には吸水ブロック４２がスライド可能に設置され、水をかける時に、一部の水は細管４３を通じて前記感応チャンバ３９の中に入り、前記吸水ブロック４２は吸水を行い、前記感応チャンバ３９の底壁にはセンサ４０が固定的に設置され、前記吸水ブロック４２と前記センサ４０とが当接した時に、水かけは終了とする。
【００１５】
好ましくは、前記水かけ機構１００は前記排水チャンバ２４の底壁の中に設置された制御モータ２７を含み、前記制御モータ２７の上端には制御軸２６が伝動可能に連結され、前記制御軸２６の上端と前記玉弁２５とが固定的に連結されており、前記制御モータ２７はタイマー機能を有し、前記制御モータ２７が定時的に起動することで前記玉弁２５を定時的に作動させ、前記制御モータ２７と前記センサ４０とが通電可能に連結されている。
【００１６】
好ましくは、前記貯水チャンバ１１の頂壁の中には上下に貫通した複数の排気孔１３が設置され、前記貯水チャンバ１１の中の水が日光に浴びた時に、濾過された残留塩素が日光によって揮散し、前記排気孔１３を通じて排出される。
【００１７】
好ましくは、前記測定機構２００の中には前記吸水ブロック４２と前記感応チャンバ３９の底壁との間に設置されたばね４１が設置され、前記感応チャンバ３９の内壁の中には外部と連通した連通孔３８が設置され、前記吸水ブロックは土の中に水分量をシミュレートし、温度が低い時に、前記吸水ブロック４２の中の水の蒸発量は少なくなり、それにより、水をかける時に、前記吸水ブロック４２はより短時間に前記センサ４０と当接でき、前記制御モータ２７を駆動し、前記玉弁２５を停止させることで、水かけを停止する。
【００１８】
好ましくは、前記本体１０の外表面には固定板１４が固定的に設置され、前記固定板１４にはヒンジ連結軸１５が回転可能に設置され、前記ヒンジ連結軸１５には灯台３１が固定的に設置され、前記灯台３１の中には蛍光灯３２が設置され、曇り日に、前記灯台３１を百八十度に回転させ、前記蛍光灯３２をつけ、植木への照射を行う。
【００１９】
前記水晶製植木鉢の実現方法は、以下の手順を踏む：
【００２０】
植木を植木鉢チャンバ３３の中に植え付け、土を掘り返す時に、モータ２１を起動し、動力軸２２によって回転盤２９を回転させ、回転盤２９は回転軸２８と、歯車３０と、伝動軸３７とによって、掘り返し軸１６に動力軸２２を中心に回転させ、歯車３０と環状ラック１９とが噛み合い、掘り返し軸１６の自転を連動させ、そして掘り返し突出ブロック１７によって土の掘り返しを行う。
【００２１】
入水孔３４を通じて水道水を貯水チャンバ１１の中に注ぎ、活性炭１２により、水の中の残留塩素などの不純物は濾過され、制御モータ２７を起動することで玉弁２５を作動させ、貯水チャンバ１１の中の水は排水チャンバ２４を通過して植木鉢チャンバ３３の中に入り、一部の水は細管４３を通過して感応チャンバ３９の中に入り、吸水ブロック４２に吸収され、吸水ブロック４２が重量を増やし、下へ滑り、吸水ブロック４２とセンサ４０とが当接した時に、制御モータ２７は玉弁２５の作動を停止させ、水かけは停止する。
【００２２】
要約すると、本発明はシンプルな構成と簡単な操作方法を有し、伝統的な植木鉢が植木の根系を観察できない欠陥を補い、植木を育てることの楽しさが倍増し、また、本発明は自動的に水かけを行い、水をかける前に水の濾過も行うため、水中の残留塩素などの有害物質を取り除き、植木を害することなく、植木鉢の実用性を大きく上げる。
【００２３】
以上に述べたのはただ本発明の具体的な実施方式であり、本発明の保護範囲は以上の内容に限らず、すべての創造的な労働を通じず思いつきの改動と取替は本発明の保護範囲にカバーされるべき。よって、本発明の保護範囲は権利要求書が限定された保護範囲を標準とすべきである。